(57)【要約】      （修正有）【課題】一体の人形で異なる複数の態様（姿態）に変化可能なマネキン人形とその肢体を変化させる肢体変化装置を提供する。【解決手段】人形の本体に少なくとも一つの肢体が回動可能に軸着されたマネキン人形において、回動する前記肢体を複数の回動位置にて前記本体に回動不能に仮固定化させる仮固定化手段５は、回動可能な肢体と本体とが回動の際に互いに摺動するように近接する各々の摺動部位において、一方の摺動部位にはピン穴５１を有し、他方側の摺動部位にはピン穴５１に抜き挿し自在な嵌合ピン５２を有し、ピン穴５１が嵌合ピン５２に対応する回動方向線上に間隔をおいて複数個列設されたことを特徴とする。【選択図】図７
0003215643.tif 000002
【実用新案登録請求の範囲】
【請求項１】
人形の本体に少なくとも一つの肢体が回動可能に軸着されたマネキン人形において、回動する前記肢体を複数の回動位置にて前記本体に回動不能に仮固定化させる仮固定化手段を有することを特徴とするマネキン人形の肢体変化装置。
【請求項２】
仮固定手段は、回動可能な肢体と本体とが回動の際に互いに摺動するように近接する各々の摺動部位において、一方の摺動部位にはピン穴を有し、他方側の摺動部位には前記ピン穴に抜き挿し自在な嵌合ピンを有し、前記ピン穴が前記嵌合ピンに対応する回動方向線上に間隔をおいて複数個列設されたことを特徴とする請求項１のマネキン人形の肢体変化装置。
【請求項３】
人形の本体に少なくとも一つの肢体が半球面状の範囲で回動可能に軸着されたマネキン人形において、回動する前記肢体を複数の回動位置にて前記本体に回動不能に仮固定化させる仮固定化手段を有することを特徴とするマネキン人形の肢体変化装置。
【請求項４】
仮固定手段は、半球面状の範囲で回動可能な肢体と本体とが回動の際に互いに摺動するように近接する各々の摺動部位において、一方の摺動部位にはピン穴を有し、他方側の摺動部位には前記ピン穴に抜き挿し自在な嵌合ピンを有し、前記ピン穴が前記嵌合ピンに対応するよう間隔をおいて複数個設けられたことを特徴とする請求項３のマネキン人形の肢体変化装置。
【請求項５】
両足と人形の本体としての下半身とを備え、少なくとも前記一方の足が前記下半身に回動自在に軸着されたマネキン人形において、回動可能な前記一方の足を複数の回動位置にて前記下半身に回動不能に仮固定化させる仮固定化手段を有することを特徴とするマネキン人形の肢体変化装置。
【請求項６】
仮固定手段は、回動可能な一方の足と下半身とが回動の際に互いに摺動するように近接する各々の摺動部位において、一方の足側の摺動部位にはピン穴を有し、他方の下半身側の摺動部位には前記ピン穴に抜き挿し自在な嵌合ピンを有し、前記ピン穴が前記嵌合ピンに対応する回動方向線上に間隔をおいて複数列設されたことを特徴とする請求項５のマネキン人形の肢体変化装置。
【請求項７】
本体の外郭部の一部を、回動可能な肢体のピン穴が設けられた摺動部位に接近するように当該本体の内部側に窪めて形成された外郭凹部の底部に、外部から操作可能に嵌合ピンを配設したことを特徴とする請求項２、請求項４又は請求項６の何れかに記載のマネキン人形の肢体変化装置。
【請求項８】
請求項1乃至請求項７の何れかに記載のマネキン人形の肢体変化装置を備えたことを特徴とするマネキン人形。
【考案の詳細な説明】
【技術分野】
【０００１】
本考案は、マネキン人形の一つ肢体を他の肢体或いは本体に対して所望の範囲で回動自在に構成し、所望の回動変化位置にて固定化可能なマネキン人形及びその肢体変化装置に関する。
【背景技術】
【０００２】
従来、例えば 、スラックスやストッキング売り場等で使用される片足或いは両足を備えた下半身（以下、本体ともいう）のマネキン人形（以下、単に人形ともいう）では、足が一定の態様に決められた人形、即ち、足が本体に一体的に固定された人形即ち肢体が回動不能の人形が提供されていたため、足の態様（姿態）が異なる毎の人形の数を必要としていた。
【考案の概要】
【考案が解決しようとする課題】
【０００３】
従来のような人形では、所望の異なる人形態様即ち姿態毎の展示をしようとすると、異なる態様（姿態）毎の数の人形を配置せねばならず、それらの人形数に応じた設置スペースを必要とする上、人形数分の購入費やリース代等のコストを要してしまう、という課題があった。
【０００４】
本考案は、上記のような課題の解決を目的としたもので、肢体を備えたマネキン人形の少なくとも一つの肢体を本体に対して回動自在に軸着し、複数の回動角度で回動変化させる肢体変化装置を備えさせることによって、一体の人形で異なる複数の態様（姿態）に変化可能なマネキン人形の提供を目的とするものである。
【課題を解決するための手段】
【０００５】
請求項１のマネキン人形の肢体変化装置の考案は、人形の本体に少なくとも一つの肢体が回動可能に軸着されたマネキン人形において、回動する前記肢体を複数の回動位置にて前記本体に回動不能に仮固定化させる仮固定化手段を有することを特徴とする。
【０００６】
請求項２の考案は、請求項１のマネキン人形の肢体変化装置の考案において、仮固定手段は、回動可能な肢体と本体とが回動の際に互いに摺動するように近接する各々の摺動部位において、一方の摺動部位にはピン穴を有し、他方側の摺動部位には前記ピン穴に抜き挿し自在な嵌合ピンを有し、前記ピン穴が前記嵌合ピンに対応する回動方向線上に間隔をおいて複数個列設されたことを特徴とする。
【０００７】
請求項３のマネキン人形の肢体変化装置の考案は、人形の本体に少なくとも一つの肢体が半球面状の範囲で回動可能に軸着されたマネキン人形において、回動する前記肢体を複数の回動位置にて前記本体に回動不能に仮固定化させる仮固定化手段を有することを特徴とする。
【０００８】
請求項４の考案は、請求項３のマネキン人形の肢体変化装置の考案において、仮固定手段は、半球面状の範囲で回動可能な肢体と本体とが回動の際に互いに摺動するように近接する各々の摺動部位において、一方の摺動部位にはピン穴を有し、他方側の摺動部位には前記ピン穴に抜き挿し自在な嵌合ピンを有し、前記ピン穴が前記嵌合ピンに対応するよう間隔をおいて複数個設けられたことを特徴とする。
【０００９】
請求項５のマネキン人形の肢体変化装置の考案は、両足と人形の本体としての下半身とを備え、少なくとも前記一方の足が前記下半身に回動自在に軸着されたマネキン人形において、回動可能な前記一方の足を複数の回動位置にて前記下半身に回動不能に仮固定化させる仮固定化手段を有することを特徴とする。
【００１０】
請求項６の考案は、請求項５のマネキン人形の肢体変化装置の考案において、仮固定手段は、回動可能な一方の足と下半身とが回動の際に互いに摺動するように近接する各々の摺動部位において、一方の足側の摺動部位にはピン穴を有し、他方の下半身側の摺動部位には前記ピン穴に抜き挿し自在な嵌合ピンを有し、前記ピン穴が前記嵌合ピンに対応する回動方向線上に間隔をおいて複数列設されたことを特徴とする。
【００１１】
請求項７の考案は、請求項２、請求項４又は請求項６の何れかに記載のマネキン人形の肢体変化装置の考案において、本体の外郭部の一部を、回動可能な肢体のピン穴が設けられた摺動部位に接近するように当該本体の内部側に窪めて形成された外郭凹部の底部に、外部から操作可能に嵌合ピンを配設したことを特徴とする。
【００１２】
請求項８の考案は、請求項1乃至請求項７の何れかに記載のマネキン人形の肢体変化装置を備えたことを特徴とするマネキン人形。
【考案の効果】
【００１３】
請求項1乃至請求項８の各考案によれば、何れも、マネキン人形一体にて複数の態様の姿態が得られるので、従来のように、所望の姿態数に応じた人形数の設置スペースを必要とせず、人形数分の購入費やリース代等のコストを低減させることができる。
【００１４】
請求項２、請求項４、請求項６及び請求項７の各考案によれば、何れも、ピン穴と当該ピン穴に抜き挿し自在な嵌合ピンとの係合によって、回動する肢体の位置が所望の位置に一義的に決定されるので、複数の人形を同一姿態で並べる際の、人形を同一姿態に設定する作業を迅速且つ容易に行うことができる。
【００１５】
請求項３及び請求項４の各考案によれば、何れも、軸着された肢体を人と同様の可動範囲で自由に回動させることができるので、仮固定手段の設定如何によって、一体のマネキン人形で所望の姿態での自由な演出が可能となる。
【図面の簡単な説明】
【００１６】
【図１】図１は、両足と下半身から成る逆立ちさせたマネキン人形の側面図である（実施例１）。
【図２】図２は、図１のマネキン人形の左足を図１の状態から最大限に回動させた側面図である。
【図３】図３は、図１のマネキン人形の左足を図１の状態から図２の最大限回動に至るまでの５段階の仮固定の姿勢を示した側面図である。
【図４】図４は、図１のマネキン人形の斜視図である。
【図５】図５は、図１のマネキン人形の肢体変化装置を示す部分断面図である。
【図６】図６は、図１の回動軸部を示す部分拡大断面図である。
【図７】図７は、図５のＡ−Ａ線断面図である。
【図８】図８は、図１のマネキン人形の背面斜視図である。
【図９】図９は、図７の仮固定手段の仮固定状態を示す部分拡大断面図である。
【図１０】図１０は、図５のＡ−Ａ線断面図であって仮固定手段の仮固定解除状態を示す部分拡大断面図である。
【図１１】図１１は、図１０の仮固定手段の仮固定解除状態を示す部分拡大断面図である。
【図１２】図１２は、別のマネキン人形の実施例の正面図である（実施例２）。
【考案を実施するための最良の形態】
【００１７】
以下、本考案の最良の形態としての実施例１を図１乃至図１１に基づいて説明する。
【実施例１】
【００１８】
図１乃至図１１に示す実施例１のマネキン人形（以下、単に人形ともいう）は、肢体としての左右両足１、２の全体と、人形の本体としての下半身３、ここでは腰及び臀部を備えた人形が、倒立された状態で基台６に設置されているものである。
【００１９】
図５乃至図７において、この人形では、一方の左足１が下半身３に、人が歩行する足運びと同様に回動自在となるように軸着された軸着部４を備えおり、この軸着部４は、下半身３を構成する外郭部３１に設けられた軸穴３２に、左足１を構成する外郭部１１に固定された棒軸１２を嵌入させた構成で設けられている。
【００２０】
上記の軸着部４を介して下半身２に回動可能に軸着された左足１は、後述する仮固定化手段５によって複数の回動位置、この例では図３に示すように５段階の回動変化位置で、本体としての下半身３に回動不能に仮固定化される。
【００２１】
仮固定化手段５は、回動可能な左足１と下半身３とが回動の際に互いに摺動するように近接する各々の外郭部、即ち、左足１の付根に相応する左足１の外郭部１１と下半身３の外郭部３１とが互いに摺り合うように近接する摺動部位に配設されている。
一方の左足１側の摺動部位の外郭部１１には、複数のピン穴として、５個のピン穴５１が列状に設けられ、他方の下半身３側の摺動部位には前記のピン穴５１に対して、抜き挿し自在な一つの嵌合ピン５２が設けられている。
【００２２】
左足１の付け根付近の外郭部１１に設けられる上記５個のピン穴５１は、嵌合ピン５２のピン先に対応する左足１の外郭部１１の回動方向線上の各5段階の回動位置、即ち、左足１が図３に示す５段階の各回動位置に各々回動した際に、嵌合ピン５２のピン先が抜き挿し自在に挿し込み可能な位置の外郭部１１に設けられている。
棒軸を軸着部４とするこの例では、この５個のピン穴５１は回動軸線上に沿って前記５段階に相応する間隔をおいて５つの穴が列状に上記の外郭部１１に列設されている。
【００２３】
図１〜図３、図７〜図１１において、図中の符号７で示す外郭凹部７は、本体３の外郭部３１の一部を回動可能な肢体１のピン穴５１が設けられた摺動部位に接近するように、当該本体３の外郭部３１を外側から内部側に窪めて形成された、人の手が入るサイズの凹部であり、この外郭凹部７の底部に嵌合ピン５２を配設することにより、本体３の外部から嵌合ピン５２の操作が容易にできる。
【００２４】
上記実施例１によれば、マネキン人形一体にて、例えば、図３に示すように５段階の何れかの位置に左足１を変化させた態様の姿態を選択することができるので、従来のように、所望の姿態数に応じた人形数の設置スペースを必要とせず、人形数分の購入費やリース代等のコストを低減させることができる。
【００２５】
又、仮固定化手段５が、ピン穴５１と当該ピン穴５１に抜き挿し自在な嵌合ピン５２との係合によって、回動する肢体の位置を所望の位置に一義的に決定することができるので、複数の人形を同一姿態で並べる際において、各人形を同一姿態に設定する作業を迅速且つ容易に行える。
【実施例２】
【００２６】
上記実施例１では、人形本体に対して回動可能な肢体とする軸着部４が棒軸を用いて構成されているが、これに限らず、例えば、ユニバーサルジョイント構造を用いて回動領域即ち回動範囲を半球面状の範囲とする軸着部としてもよい。
【００２７】
この場合の仮固定手段は、半球面状の範囲で回動可能な肢体と本体とが回動の際に互いに摺動するように近接する各々の摺動部位、即ち、肢体の外郭部と本体の外郭部とが近接して摺動し合う部位における、一方の摺動部位側の外郭部に嵌合ピンを設け、他方側の摺動部位側に前記嵌合ピンが抜き挿し自在なピン穴を間隔をおいて複数個設けることになる。
【００２８】
例えば、図１２に示すように、肢体として左右両腕１０、２０と、人形本体としての上半身３０とを備えた人形においては、左右両腕１０、２０或いは何れか一方の腕を回動自在に上半身３０の肩に軸着するには、半球面状の回動範囲の軸着部を用いる方が人の腕の回動範囲に相応する点で最適である。
この場合、半球面状の回動範囲内において、予め、仮固定手段のピン穴は、上記実施例１のように列状には配設されず、所望の角度位置毎に複数個点在して設けられることになる。
【００２９】
上記実施例２の考案によれば、人形の腕１０、２０を人と同様の可動範囲で自由に回動させることができるので、仮固定手段の設定即ち嵌合ピンに対して複数個配設されるピン穴の配置如何によって、腕を所望の姿態に自由に演出することができる。
【００３０】
尚、上記実施例１、２で説明した肢体変化装置は、マネキン人形の肢体の一つに設けたが、当該マネキン人形の本体が備える肢体の全て、例えば、両腕両足の各々の付け根付近に設けてもよいし、両腕両足の何れか一つに設けてもよい。
又、人形本体が備える肢体が一つ、例えば、左右何れかの足一本であってもよい。
又、仮固定手段５のピン穴５１は上記実施例では肢体側に設けてあるが、ピン穴５１を本体側に設けて嵌合ピン５２を肢体側に設ける構成としてもよい。
【００３１】
尚、又、本明細書でいう本体３、３０とは、回動する肢体を回動自在に支持する物体を意味するものであり、文字通り体の身体やその部分に限定されるものではない、従って、回動する肢体を例えば上記実施例の基台６で支持させる場合には、その基台が本明細書でいう本体に相当する。
【産業上の利用可能性】
【００３２】
本考案の肢体変化装置は、マネキン人形の肢体と本体と間に限らず、腕や肘の関節部や頭と胴体の間等、人の関節部に相応するマネキン人形の各部位にも適用することができる。
【符号の説明】
【００３３】
１    左足
１１  外郭部（左足）
１２  棒軸（軸着部）
２    右足
３    下半身（本体）
３１  外郭部（本体）
３２  軸穴（本体）
４    軸着部
５    仮固定手段
５１  ピン穴（仮固定手段）
５２  嵌合ピン（仮固定手段）
６    基台
７    外郭凹部（本体）
【図１】
0003215643.tif 000003
【図２】
0003215643.tif 000004
【図３】
0003215643.tif 000005
【図４】
0003215643.tif 000006
【図５】
0003215643.tif 000007
【図６】
0003215643.tif 000008
【図７】
0003215643.tif 000009
【図８】
0003215643.tif 000010
【図９】
0003215643.tif 000011
【図１０】
0003215643.tif 000012
【図１１】
0003215643.tif 000013
【図１２】
0003215643.tif 000014